(57)【要約】【課題】上面が平面状のカウンター上に零れた水が床面に流れ落ちることを抑制可能なシステムキッチンを提供する。【解決手段】物品を収納可能なキャビネットと、物品を載置可能で上面が平面状のカウンターと、前記キャビネットの上部に設けられ、前記カウンターの前記上面全体が水平になるように調整する水平調整手段と、を備えたことを特徴とするシステムキッチンが提供される。【選択図】図２
2017164049.tif 000002
【特許請求の範囲】
【請求項１】
物品を収納可能なキャビネットと、
物品を載置可能で上面が平面状のカウンターと、
前記キャビネットの上部に設けられ、前記カウンターの前記上面全体が水平になるように調整する水平調整手段と、
を備えたことを特徴とするシステムキッチン。
【請求項２】
前記水平調整手段は、前記カウンターの下方において一直線上に位置しない少なくとも３箇所に設けられた高さ調整部を含み、
前記少なくとも３箇所に設けられた前記高さ調整部がそれぞれ独立に前記カウンターの高さを局所的に調整することを特徴とする請求項１記載のシステムキッチン。
【請求項３】
前記高さ調整部は、さらに、前記カウンターの長手方向に沿って３箇所以上設けられており、前記カウンターを変形させることを特徴とする請求項２記載のシステムキッチン。
【請求項４】
前記高さ調整部は、さらに、前記カウンターの短手方向に沿って３箇所以上設けられており、前記カウンターを変形させることを特徴とする請求項２または３に記載のシステムキッチン。
【請求項５】
前記高さ調整部は、頭部と先部とを有する螺子を含み、
前記螺子は、前記カウンターの下方において前記先部を上向きにして設置され、
前記カウンターの高さの前記調整は、前記螺子を回転させることで行われることを特徴とする請求項２〜４のいずれか１つに記載のシステムキッチン。
【請求項６】
前記高さ調整部は、
前記キャビネットの上部内側面に固定され、前記螺子を回転可能に支持する支持部材と、
前記螺子を介して前記支持部材と連結され、前記カウンターの下面に当接しており、前記螺子の回転に応じて高さが調整される受け部材と、
をさらに含み、
前記支持部材と前記受け部材との間隔は、前記螺子の回転に応じて変化することを特徴とする請求項５記載のシステムキッチン。
【発明の詳細な説明】
【技術分野】
【０００１】
本発明の態様は、一般的に、システムキッチンに関する。
【背景技術】
【０００２】
一般的に、システムキッチンは、物品を収納可能なキャビネットと、キャビネットに載置され、物品を載置可能なカウンターと、を備えている。例えば、カウンターには、前垂れ部と、水返し部と、バックガードと、が設けられている（特許文献１）。前垂れ部は、カウンターの前縁に設けられ、下方に延びる。水返し部は、カウンターの前縁付近に設けられ、カウンター上面から上方に突出する。バックガードは、カウンターの後方に設けられ、カウンター上面から上方に延びる。これらの水返し部及びバックガードにより、カウンター上に零れた水が床面に流れ落ちてしまうことが抑制される。
【先行技術文献】
【特許文献】
【０００３】
【特許文献１】特開２００８−１７３１９６号公報
【発明の概要】
【発明が解決しようとする課題】
【０００４】
一方、システムキッチンのデザイン性を向上させるため、水返し部及びバックガードを設けないことで、上面に極力突起体を無くし、上面を平面状にしたカウンターが提案されている。
【０００５】
しかしながら、このような上面を平面状にしたカウンターの場合、水返し部やバックガードがないため、カウンターの上面が水平となるように設置されていないと、カウンターの上に零れた水が床面に流れ落ちてしまう可能性がある。一方で、カウンターの厚みは、製造上の誤差等によりばらついてしまうため、水平な床面に設置されたキャビネットに対してカウンターが水平に載置されたとしても、カウンターの上面全体が水平とならない可能性がある。このため、カウンターの上面を水平に設置することは困難である。
【０００６】
本発明は、かかる課題の認識に基づいてなされたものであり、上面が平面状のカウンターの上に零れた水が床面に流れ落ちることを抑制可能なシステムキッチンを提供することを目的とする。
【課題を解決するための手段】
【０００７】
第１の発明は、物品を収納可能なキャビネットと、物品を載置可能で上面が平面状のカウンターと、前記キャビネットの上部に設けられ、前記カウンターの前記上面全体が水平になるように調整する水平調整手段と、を備えたことを特徴とするシステムキッチンである。
【０００８】
このシステムキッチンによれば、カウンターの上面全体を水平に調整できるため、水返し部やバックガードのない、上面が平面状のカウンターであっても、カウンターの上に零れた水がキッチン空間の床面に流れ落ちることを抑制することができる。また、カウンターの上面全体が水平になるように調整する水平調整手段がキャビネットの上部に設けられているため、カウンターが水平になるように調整しても、キャビネット自体が傾くことはない。
【０００９】
第２の発明は、第１の発明において、前記水平調整手段は、前記カウンターの下方において一直線上に位置しない少なくとも３箇所に設けられた高さ調整部を含み、前記少なくとも３箇所に設けられた前記高さ調整部がそれぞれ独立に前記カウンターの高さを局所的に調整することを特徴とするシステムキッチンである。
【００１０】
このシステムキッチンによれば、カウンターの下方において一直線上に位置しない少なくとも３箇所に設けられた高さ調整部が、それぞれ独立にカウンターの高さを局所的に調整するため、高さ調整部は複雑な構造を必要とせず、簡易な構造の高さ調整部で、キャビネット自体を傾けることなくカウンターの上面全体が水平になるように調整することができる。さらに、高さ調整部は、例えば、カウンターの高さを上げる機構のみ、あるいは、カウンターの高さを下げる機構のみ、でカウンターの上面全体が水平になるように調整することができる。
【００１１】
第３の発明は、第２の発明において、前記高さ調整部は、さらに、前記カウンターの長手方向に沿って３箇所以上設けられており、前記カウンターを変形させることを特徴とするシステムキッチンである。
【００１２】
このシステムキッチンによれば、カウンターの長手方向において中央付近の厚みが薄い場合または厚い場合であっても、中央付近に位置する高さ調整部を調整することで、カウンターの一部を変形させ、カウンターの上面全体が水平になるように調整することができる。
【００１３】
第４の発明は、第２または第３の発明において、前記高さ調整部は、さらに、前記カウンターの短手方向に沿って３箇所以上設けられており、前記カウンターを変形させることを特徴とするシステムキッチンである。
【００１４】
このシステムキッチンによれば、カウンターの短手方向において中央付近の厚みが薄い場合または厚い場合であっても、中央付近に位置する高さ調整部を調整することで、カウンターの一部を変形させ、カウンターの上面全体が水平になるように調整することができる。
【００１５】
第５の発明は、第２〜第４のいずれか１つの発明において、前記高さ調整部は、頭部と先部とを有する螺子を含み、前記螺子は、前記カウンターの下方において前記先部を上向きにして設置され、前記カウンターの高さの前記調整は、前記螺子を回転させることで行われることを特徴とするシステムキッチンである。
【００１６】
このシステムキッチンによれば、螺子を回転させることで、カウンターの精密な高さ調整を簡単に実現することができる。したがって、螺子を回転させることで、カウンターの上面全体の精密な水平調整を簡単に実現することができる。また、螺子はカウンターの下方において先部を上向きにして設置されているため、カウンターをキャビネットの上に載置した後でも、カウンターをキャビネットから持ち上げることなく、下方から螺子を回転させることでカウンターの上面全体の精密な水平調整を簡単に実現することができる。
【００１７】
第６の発明は、第５の発明において、前記高さ調整部は、前記キャビネットの上部内側面に固定され、前記螺子を回転可能に支持する支持部材と、前記螺子を介して前記支持部材と連結され、前記カウンターの下面に当接しており、前記螺子の回転に応じて高さが調整される受け部材と、をさらに含み、前記支持部材と前記受け部材との間隔は、前記螺子の回転に応じて変化することを特徴とするシステムキッチンである。
【００１８】
このシステムキッチンによれば、螺子を回転させるための支持構造を備えることで、カウンターの精密な高さ調整を簡単に実現することができる。また、カウンターの下面に当接し、螺子の回転に応じて高さが調整される受け部材を有しているため、螺子の先部の回転によってカウンターの下面が傷つくことなく、カウンターの高さを受け部材によって局所的に調整することができる。したがって、螺子の先部の回転によってカウンターの下面を傷つけることなく、カウンターの上面全体の精密な水平調整を簡単に実現することができる。
【発明の効果】
【００１９】
本発明の態様によれば、上面が平面状のカウンターの上に零れた水が床面に流れ落ちることを抑制可能なシステムキッチンを提供することができる。
【図面の簡単な説明】
【００２０】
【図１】第１の実施形態に係るシステムキッチンを表す斜視図である。
【図２】第１の実施形態に係るシステムキッチンを表す分解斜視図である。
【図３】図１のＡ１−Ａ２線断面を表す部分断面図である。
【図４】図４（ａ）及び図４（ｂ）は、第１の実施形態に係る高さ調整部を表す斜視図及び正面図である。
【図５】図５（ａ）〜図５（ｃ）は、第１の実施形態に係る高さ調整部によるカウンター水平調整方法を表す説明図である。
【図６】図６（ａ）及び図６（ｂ）は、第１の実施形態に係る高さ調整部による別のカウンター水平調整方法を表す説明図である。
【図７】図７（ａ）及び図７（ｂ）は、第２の実施形態に係るシステムキッチンの一部を表す説明図である。
【図８】図８（ａ）及び図８（ｂ）は、第２の実施形態に係る高さ調整部によるカウンター水平調整方法を表す説明図である。
【図９】図９（ａ）及び図９（ｂ）は、第３の実施形態に係るシステムキッチンの一部を表す説明図である。
【図１０】図１０（ａ）〜図１０（ｃ）は、実施形態に係るカウンターを表す部分断面図である。
【発明を実施するための形態】
【００２１】
以下、実施形態について図面を参照しつつ説明する。なお、各図面中、同様の構成要素には同一の符号を付して詳細な説明は適宜省略する。  
【００２２】
（第１の実施形態）  
図１は、第１の実施形態に係るシステムキッチンを表す斜視図である。  
図２は、第１の実施形態に係るシステムキッチンを表す分解斜視図である。
図３は、図１のＡ１−Ａ２線断面を表す部分断面図である。  
【００２３】
図１に示すように、システムキッチン１０は、カウンター１００と、キャビネット２００と、を備えている。カウンター１００は、キャビネット２００の上に設けられている。カウンター１００は、物品を載置可能である。キャビネット２００は、物品を収納可能である。物品には、例えば、キッチン用品などが含まれる。
【００２４】
カウンター１００は、シンク１１０と、ガスレンジ取り付け用の開口部１２０と、を備える。なお、シンク１１０における水栓は図示を省略している。カウンター１００の材料には、例えば、ステンレスや人工大理石、人造大理石などが用いられる。カウンター１００の上面１００ａは、平面状である。平面状とは、カウンター１００の上面１００ａが実質的に平坦であればよい。例えば、カウンター１００の上面１００ａに１ｍｍ以内の突起などを含んでもよい。カウンター１００の上面１００ａには、例えば、水返し部及びバックガードが設けられていない。カウンター１００は、平板状である。カウンター１００の厚さは、例えば、１０ｍｍ以上１５ｍｍ以下である。カウンター１００は、比較的薄い平板状に形成される。これにより、例えば、システムキッチン１０のデザイン性を向上させることができる。但し、カウンター１００の下面側の形状は、特に限定されない。カウンター１００は、例えば、前垂れ部や下方に突出するリブなどを有してもよい。
【００２５】
キャビネット２００は、例えば、第１キャビネット部２１０と、第２キャビネット部２２０と、第３キャビネット部２３０と、を備える。第１キャビネット部２１０は、第１開閉部２１１を有する。第１開閉部２１１は、第１キャビネット部２１０の内部に物品を収容するための空間の前方に設けられている。第２キャビネット部２２０は、第２開閉部２２１を有する。第２開閉部２２１は、第２キャビネット部２２０の内部に物品を収容するための空間の前方に設けられている。第３キャビネット部２３０は、第３開閉部２３１を有する。第３開閉部２３１は、第３キャビネット部２３０の内部に物品を収容するための空間の前方に設けられている。第３キャビネット部２３０には、ガスレンジを載置するためのレンジ台２４０が設けられている。本例において、キャビネット２００は、３つのキャビネット部を有しているが、キャビネット部の個数はこれに限定されない。
【００２６】
本願明細書において、「横方向」とは、水平方向であってキャビネット２００の前面２００ａに平行な方向をいう。「上下方向」とは、横方向に垂直な方向であってキャビネット２００の前面２００ａに平行な方向をいう。「前後方向」とは、横方向及び上下方向に垂直な方向をいう。
【００２７】
図２に示すように、第１キャビネット部２１０は、前後方向に沿う上部内側面２１２ａ、２１２ｂを有する。上部内側面２１２ａは、上部内側面２１２ｂと対向する。第２キャビネット部２２０は、前後方向に沿う上部内側面２２２ａ、２２２ｂを有する。上部内側面２２２ａは、上部内側面２２２ｂと対向する。第３キャビネット部２３０は、前後方向に沿う上部内側面２３２ａ、２３２ｂを有する。上部内側面２３２ａは、上部内側面２３２ｂと対向する。
【００２８】
システムキッチン１０は、水平調整手段４００を備える。水平調整手段４００は、カウンター１００の上面１００ａ全体が水平になるように調整する。水平調整手段４００は、例えば、複数の高さ調整部３００を含む。高さ調整部３００は、キャビネット２００の上部に設けられている。高さ調整部３００は、例えば、キャビネット２００の第１位置ｐ１〜第１２位置ｐ１２のそれぞれに設けられている。第１〜第３位置ｐ１〜ｐ３は、第１キャビネット部２１０の上部内側面２１２ａに位置し、前後方向に並ぶ。第４〜第６位置ｐ４〜ｐ６は、第２キャビネット部２２０の上部内側面２２２ａに位置し、前後方向に並ぶ。第７〜第９位置ｐ７〜ｐ９は、第２キャビネット部２２０の上部内側面２２２ｂに位置し、前後方向に並ぶ。第１０〜第１２位置ｐ１０〜ｐ１２は、第３キャビネット部２３０の上部内側面２３２ｂに位置し、前後方向に並ぶ。
【００２９】
高さ調整部３００は、第１位置ｐ１〜第１２位置ｐ１２の全てに設けられていなくてもよい。例えば、高さ調整部３００は、一直線上に位置しない少なくとも３箇所に設けられていればよい。高さ調整部３００は、例えば、第１位置ｐ１、第６位置ｐ６及び第１０位置ｐ１０の３箇所に設けられる。第３位置ｐ３、第４位置ｐ４及び第１２位置ｐ１２の３箇所でもよい。第１位置ｐ１、第６位置ｐ６、第７位置ｐ７及び第１２位置ｐ１２の４箇所でもよい。第３位置ｐ３、第４位置ｐ４、第９位置ｐ９及び第１０位置ｐ１０の４箇所でもよい。例えば、高さ調整部３００は、千鳥状に配置される。このように一直線上に位置しない少なくとも３箇所に設けられた高さ調整部３００は、それぞれ独立にカウンター１００の高さを局所的に調整することができる。このように、水平調整手段４００は、一直線上に位置しない少なくとも３箇所に設けられた高さ調整部３００をそれぞれ調整し、局所的にカウンター１００の高さを上昇または下降、もしくは上昇及び下降させることで、カウンター１００の上面全体を水平にすることができる。
【００３０】
高さ調整部３００は、後述するように、例えば、カウンター１００の高さを局所的に上げる機構を備える。高さ調整部３００は、例えば、カウンター１００の高さを局所的に下げる機構を備える。高さ調整部３００は、例えば、カウンター１００の高さを局所的に上下させる機構を備える。
【００３１】
さらに、高さ調整部３００は、カウンター１００の長手方向（横方向）に沿って３箇所以上設けられていてもよい。高さ調整部３００は、例えば、第１位置ｐ１、第４位置ｐ４、第７位置ｐ７及び第１０位置ｐ１０の４箇所に設けられる。高さ調整部３００は、例えば、第２位置ｐ２、第５位置ｐ５、第８位置ｐ８及び第１１位置ｐ１１の４箇所に設けられていてもよい。高さ調整部３００は、例えば、第３位置ｐ３、第６位置ｐ６、第９位置ｐ９及び第１２位置ｐ１２の４箇所に設けられていてもよい。このように長手方向に沿って３箇所以上設けられた高さ調整部３００は、カウンター１００の少なくとも一部を変形させ、それぞれ独立にカウンター１００の高さを局所的に調整することができる。このように、水平調整手段４００は、長手方向に沿って３箇所以上設けられた高さ調整部３００をそれぞれ調整し、カウンター１００の高さを局所的に上昇または下降、もしくは上昇及び下降させることで、カウンターの一部を変形させ、カウンター１００の厚みにばらつきがあった場合でも、カウンター１００の上面全体を水平にすることができる。
【００３２】
さらに、高さ調整部３００は、カウンター１００の短手方向（前後方向）に沿って３箇所以上設けられていてもよい。高さ調整部３００は、例えば、第１位置ｐ１、第２位置ｐ２及び第３位置ｐ３の３箇所に設けられる。高さ調整部３００は、例えば、第４位置ｐ４、第５位置ｐ５及び第６位置ｐ６の３箇所に設けられていてもよい。高さ調整部３００は、例えば、第７位置ｐ７、第８位置ｐ８及び第９位置ｐ９の３箇所に設けられていてもよい。高さ調整部３００は、例えば、第１０位置ｐ１０、第１１位置ｐ１１及び第１２位置ｐ１２の３箇所に設けられていてもよい。このように短手方向に沿って３箇所以上設けられた高さ調整部３００は、カウンター１００の少なくとも一部を変形させ、それぞれ独立にカウンター１００の高さを局所的に調整することができる。このように、水平調整手段４００は、短手方向に沿って３箇所以上設けられた高さ調整部３００をそれぞれ調整し、カウンター１００の高さを局所的に上昇または下降、もしくは上昇及び下降させることで、カウンターの一部を変形させ、カウンター１００の厚みにばらつきがあった場合でも、カウンター１００の上面全体を水平にすることができる。
【００３３】
図３に示すように、カウンター１００は、天板１０１と、裏張り板１０２と、を含む。天板１０１と裏張り板１０２とは、接着等により一体的に設けられている。カウンター１００の上面１００ａは、天板１０１の上面に対応する。カウンター１００の下面１００ｂは、裏張り板１０２の下面に対応する。本例の場合、高さ調整部３００は、第２キャビネット部２２０の上部内側面２２２ｂの３箇所（第７位置ｐ７、第８位置ｐ８及び第９位置ｐ９）に固定される。高さ調整部３００は、例えば、螺子を用いて、カウンター１００とキャビネット２００との間隔を調整できる。これにより、カウンター１００の高さを局所的に調整し、カウンター１００の上面全体を水平にすることが可能となる。高さ調整部３００の具体的な例について図４（ａ）及び図４（ｂ）に基づいて説明する。
【００３４】
図４（ａ）及び図４（ｂ）は、第１の実施形態に係る高さ調整部を表す斜視図及び正面図である。
図４（ａ）は、高さ調整部の斜視図である。  
図４（ｂ）は、高さ調整部の正面図である。  
図４（ａ）及び図４（ｂ）に示すように、高さ調整部３００は、螺子３０１と、支持部材３０２と、受け部材３０３と、を含む。
【００３５】
螺子３０１は、頭部３０１ａと、先部３０１ｂと、を有する。螺子３０１は、カウンター１００の下方において先部３０１ｂを上向きにして設置される。カウンター１００の高さの調整は、螺子３０１を回転させることで行われる。なお、螺子３０１は、カウンター１００の下方において先部３０１ｂを下向きにして配置してもよい。ただし、先部３０１ｂを上向きとした場合、カウンター１００をキャビネット２００の上に載置した後でもカウンター１００をキャビネット２００から持ち上げることなく、下方から螺子３０１を回転させることでカウンター１００の上面全体の精密な水平調整を簡単に実現することができる。このため、螺子３０１は、先部３０１ｂを上向きにして配置するほうがより好ましい。
【００３６】
図３、図４（ａ）及び図４（ｂ）において、支持部材３０２は、第２キャビネット部２２０の上部内側面２２２ｂに固定される。支持部材３０２の固定には、例えば、固定用螺子３０２ａが用いられる。支持部材３０２は、螺子３０１を回転可能に支持する。支持部材３０２には、螺子３０１と螺合する螺子孔３０２ｂが設けられている。支持部材３０２は、例えば、断面Ｌ形状のブラケットである。
【００３７】
受け部材３０３は、螺子３０１を介して支持部材３０２と連結される。受け部材３０３は、カウンター１００の下面１００ｂを受ける。受け部材３０３は、カウンター１００の下面１００ｂに当接しており、螺子３０１の回転に応じて高さが調整される。受け部材３０３には、螺子３０１と螺合する螺子孔３０３ｂが設けられている。受け部材３０３は、例えば、断面Ｕ形状のブラケットである。
【００３８】
螺子３０１の先部３０１ｂには、係止部材３０１ｃが設けられている。係止部材３０１ｃは、先部３０１ｂの周りに固定されている。螺子３０１は、係止部材３０１ｃにより受け部材３０３から脱落することが防止される。
【００３９】
螺子３０１を回転させることにより、支持部材３０２と受け部材３０３との間の間隔Ｌが調整される。間隔Ｌを所望の長さに調整した後に、受け部材３０３を、例えば、固定用螺子３０３ａを用いて、カウンター１００の下面１００ｂに固定する。このようにして、カウンター１００の高さを局所的に調整し、カウンター１００の上面１００ａが水平になるように調整する。
【００４０】
図５（ａ）〜図５（ｃ）は、第１の実施形態に係る高さ調整部によるカウンター水平調整方法を表す説明図である。  
図５（ａ）は、カウンターの水平調整前の状態を表す断面図である。  
図５（ｂ）は、カウンターの水平調整後の状態を表す断面図である。  
図５（ｃ）は、図５（ｂ）のＢ１部を拡大した図である。  
図５（ａ）〜図５（ｃ）は、図１のＡ１−Ａ２線断面を表す。
【００４１】
図５（ａ）に示すように、高さ調整部３００は、第２キャビネット部２２０の上部内側面２２２ｂの第７〜第９位置ｐ７〜ｐ９に設けられている。これら３つの高さ調整部３００は、全て初期状態にある。初期状態とは、高さ調整部３００の間隔Ｌが第１間隔Ｌ１になっている状態をいう。作業者は、カウンター１００をキャビネット２００の上に仮置きし、カウンター１００の上面１００ａが水平か否かを判断する。水平か否かの判断は、例えば、水準器を用いて行うことができる。例えば、カウンター１００の上面１００ａの高低差が２ｍｍ以内であれば水平と判断する。例えば、カウンター１００の上面１００ａの基準面（地面など）に対する傾き（角度）が０．１７°以内であれば水平と判断としてもよい。例えば、カウンター１００の上面１００ａの基準面（地面など）に対する傾き（角度）が水準器の範囲内であれば水平と判断してもよい。
【００４２】
作業者は、カウンター１００の上面１００ａが水平でないと判断した場合、高さ調整部３００の第１間隔Ｌ１を調整する。作業者は、カウンター１００の調整箇所を特定し、調整量を測定する。ここでは、カウンター１００の第８位置ｐ８に対応する部分の高さが、カウンター１００の第７位置ｐ７に対応する部分の高さ、及び、カウンター１００の第９位置ｐ９に対応する部分の高さよりも低い。このため、作業者は、第８位置ｐ８に設けられた高さ調整部３００の螺子３０１を回転させ、第１間隔Ｌ１を所望の第２間隔Ｌ２まで広げる。すなわち、第１間隔Ｌ１＜第２間隔Ｌ２の関係がある。
【００４３】
図５（ｂ）及び図５（ｃ）に示すように、第８位置ｐ８に設けられた高さ調整部３００の第１間隔Ｌ１を所望の第２間隔Ｌ２まで広げた後に、カウンター１００をキャビネット２００に固定する。例えば、第７〜第９位置ｐ７〜ｐ９に設けられた３つの高さ調整部３００のそれぞれは、カウンター１００の下面１００ｂに固定される。高さ調整部３００の固定は、例えば、固定用螺子３０３ａを用いて行われる。
【００４４】
水平調整前においては、カウンター１００の中心部分（第８位置ｐ８）の高さが、カウンター１００の周辺部分（第７位置ｐ７及び第９位置ｐ９）の高さよりも低い。つまり、カウンター１００は、中心部分に向けて低く傾斜している。これに対して、カウンター１００の第８位置ｐ８に対応する部分の高さは、カウンター１００の第７位置ｐ７に対応する部分の高さ、及び、カウンター１００の第９位置ｐ９に対応する部分の高さと実質的に同じになるように調整される。つまり、カウンター１００の上面１００ａが水平になるように調整される。なお、第８位置ｐ８以外の他の位置についても、必要に応じて同様の調整を行うことができる。
【００４５】
ここで、例えば、シンク１１０（図１、図２）がカウンター１００の中心部分に設けられているような場合、卵などの転がり易い形状の物体は、カウンター１００の傾斜により、カウンター１００の上面１００ａを転がり、シンク１１０に落ちてしまう可能性がある。
【００４６】
これに対して、本実施形態によれば、カウンター１００の中心部分（第８位置ｐ８）の高さは、カウンター１００の周辺部分（第７位置ｐ７及び第９位置ｐ９）の高さと実質的に同じになるように調整される。つまり、カウンター１００の上面１００ａが水平になるように調整される。このため、卵などの転がり易い形状の物体は、カウンター１００の上面１００ａを転がり難くなる。このため、このような物体がシンク１１０に落ちる可能性を低減することができる。
【００４７】
図６（ａ）及び図６（ｂ）は、第１の実施形態に係る高さ調整部による別のカウンター水平調整方法を表す説明図である。  
図６（ａ）は、カウンターの水平調整前の状態を表す断面図である。  
図６（ｂ）は、カウンターの水平調整後の状態を表す断面図である。  
図６（ａ）及び図６（ｂ）は、図１のＡ１−Ａ２線断面を表す。
【００４８】
図６（ａ）に示すように、高さ調整部３００は、第２キャビネット部２２０の上部内側面２２２ｂの第７〜第９位置ｐ７〜ｐ９に設けられている。これら３つの高さ調整部３００は、全て初期状態、つまり、高さ調整部３００の間隔Ｌが第１間隔Ｌ１になっている状態である。作業者は、カウンター１００をキャビネット２００の上に仮置きし、カウンター１００の上面１００ａが水平か否かを判断する。
【００４９】
作業者は、カウンター１００の上面１００ａが水平でないと判断した場合、高さ調整部３００の第１間隔Ｌ１を調整する。作業者は、カウンター１００の調整箇所を特定し、調整量を測定する。ここでは、カウンター１００の第７位置ｐ７に対応する部分の高さ、及び、カウンター１００の第９位置ｐ９に対応する部分の高さが、カウンター１００の第８位置ｐ８に対応する部分の高さよりも低い。このため、作業者は、第７位置ｐ７及び第９位置ｐ９のそれぞれに設けられた高さ調整部３００の螺子３０１を回転させ、第１間隔Ｌ１を所望の第２間隔Ｌ２まで広げる。すなわち、第１間隔Ｌ１＜第２間隔Ｌ２の関係がある。
【００５０】
図６（ｂ）に示すように、第７位置ｐ７及び第９位置ｐ９のそれぞれに設けられた高さ調整部３００の第１間隔Ｌ１を所望の第２間隔Ｌ２まで広げた後に、カウンター１００をキャビネット２００に固定する。例えば、第７〜第９位置ｐ７〜ｐ９に設けられた３つの高さ調整部３００のそれぞれは、カウンター１００の下面１００ｂに固定される。高さ調整部３００の固定は、例えば、両面テープ３０４を用いて行われる。
【００５１】
ここで、水平調整前においては、カウンター１００の周辺部分（第７位置ｐ７及び第９位置ｐ９）の高さが、カウンター１００の中心部分（第８位置ｐ８）の高さよりも低い。つまり、カウンター１００は、周辺部分に向けて低く傾斜している。これに対して、カウンター１００の第７位置ｐ７に対応する部分の高さ、及び、カウンター１００の第９位置ｐ９に対応する部分の高さは、カウンター１００の第８位置ｐ８に対応する部分の高さと実質的に同じになるように調整される。つまり、カウンター１００の上面１００ａが水平になるように調整される。なお、第７位置ｐ７及び第９位置ｐ９以外の他の位置についても、必要に応じて同様の調整を行うことができる。
【００５２】
このように、本実施形態によれば、カウンターの上面全体を水平に調整できるため、水返し部やバックガードのない、上面が平面状のカウンターであっても、カウンターの上に零れた水がキッチン空間の床面に流れ落ちることを抑制することができる。
【００５３】
また、例えば、キャビネットと床面との間に、カウンターを水平に調整可能な脚部を設ける場合がある。この場合、カウンターを水平にするためにキャビネット自体が傾いてしまう可能性がある。これに対して、本実施形態によれば、高さ調整部がキャビネットの上部に設けられているため、カウンターが水平になるように調整しても、キャビネット自体が傾くことはない。
【００５４】
（第２の実施形態）
図７（ａ）及び図７（ｂ）は、第２の実施形態に係るシステムキッチンの一部を表す説明図である。
図７（ａ）は、図１のＡ１−Ａ２線断面の一部を表す断面図である。  
図７（ｂ）は、図７（ａ）のＣ１−Ｃ２線断面を表す断面図である。  
本実施形態に係るシステムキッチン２０は、カウンター１００と、キャビネット２００と、水平調整手段４００と、を備える。水平調整手段４００は、例えば、複数の高さ調整部３１０を含む。高さ調整部３１０は、第２キャビネット部２２０の上部内側面２２２ｂの第８位置ｐ８に設けられているものとして説明する。
【００５５】
本実施形態においては、スペーサを用いてカウンター１００の上面１００ａが水平になるように調整する。
【００５６】
高さ調整部３１０は、スペーサ３１１と、支持部材３１２と、を含む。高さ調整部３１０は、少なくとも支持部材３１２を含み、高さ調整量に応じてスペーサ３１１が適宜設けられる。支持部材３１２は、第２キャビネット部２２０の上部内側面２２２ｂに固定される。支持部材３１２の固定には、例えば、固定用螺子３１２ａが用いられる。支持部材３１２は、例えば、断面Ｌ形状のブラケットである。
【００５７】
スペーサ３１１は、支持部材３１２と、カウンター１００の下面１００ｂと、の間に設けられる。スペーサ３１１は、例えば、固定用螺子３１２ｂを用いて、支持部材３１２とカウンター１００の下面１００ｂとの間に固定される。スペーサ３１１の材料には、例えば、アルミニウムなどを用いることができる。このようにスペーサ３１１を設けることで、カウンター１００の高さを局所的に調整することができる。これにより、カウンター１００の上面１００ａが水平になるように調整される。このことより、水平調整手段４００は、高さ調整部３００をそれぞれ調整し、局所的にカウンター１００の高さを上昇または下降、もしくは上昇及び下降させることで、カウンター１００の上面全体を水平にすることができる。
【００５８】
図８（ａ）及び図８（ｂ）は、第２の実施形態に係る高さ調整部によるカウンター水平調整方法を表す説明図である。  
図８（ａ）は、カウンターの水平調整前の状態を表す断面図である。  
図８（ｂ）は、カウンターの水平調整後の状態を表す断面図である。  
図８（ａ）及び図８（ｂ）は、図１のＡ１−Ａ２線断面を表す。
【００５９】
高さ調整部３１０の支持部材３１２は、第２キャビネット部２２０の上部内側面２２２ｂの第７〜第９位置ｐ７〜ｐ９に設けられている。作業者は、カウンター１００をキャビネット２００の上に仮置きし、カウンター１００の上面１００ａが水平か否かを判断する。
【００６０】
作業者は、カウンター１００の上面１００ａが水平でないと判断した場合、調整箇所を特定し、調整量を測定する。ここでは、カウンター１００の第８位置ｐ８に対応する部分の高さが、カウンター１００の第７位置ｐ７に対応する部分の高さ、及び、カウンター１００の第９位置ｐ９に対応する部分の高さよりも低い。
【００６１】
作業者は、図８（ａ）に示すように、調整量に応じたスペーサ３１１を、第８位置ｐ８に設けられた支持部材３１２とカウンター１００の下面１００ｂとの間に配置し、カウンター１００をキャビネット２００に固定する。このとき、図８（ｂ）に示すように、スペーサ３１１は、第８位置ｐ８に設けられた支持部材３１２とカウンター１００の下面１００ｂとの間に固定される。スペーサ３１１の固定は、例えば、固定用螺子３１２ｂを用いて行われる。
【００６２】
カウンター１００の第８位置ｐ８に対応する部分の高さは、カウンター１００の第７位置ｐ７に対応する部分の高さ、及び、カウンター１００の第９位置ｐ９に対応する部分の高さと実質的に同じになるように調整される。つまり、カウンター１００の上面１００ａが水平になるように調整される。なお、第８位置ｐ８以外の他の位置についても、必要に応じて同様の調整を行うことができる。
【００６３】
このように、本実施形態によれば、カウンターの上面全体を水平に調整できるため、水返し部やバックガードのない、上面が平面状のカウンターであっても、カウンターの上に零れた水がキッチン空間の床面に流れ落ちることを抑制することができる。
【００６４】
（第３の実施形態）  
図９（ａ）及び図９（ｂ）は、第３の実施形態に係るシステムキッチンの一部を表す説明図である。
図９（ａ）は、図１のＡ１−Ａ２線断面の一部を表す断面図である。  
図９（ｂ）は、図９（ａ）のＤ１−Ｄ２線断面を表す断面図である。  
本実施形態に係るシステムキッチン３０は、カウンター１００と、キャビネット２００と、水平調整手段４００と、を備える。水平調整手段４００は、例えば、複数の高さ調整部３２０を含む。高さ調整部３２０は、第２キャビネット部２２０の上部内側面２２２ｂの第８位置ｐ８に設けられているものとして説明する。
【００６５】
本実施形態においては、高さ調整部３２０に設けられた長孔を用いてカウンター１００の上面１００ａが水平になるように調整する。
【００６６】
高さ調整部３２０には、長孔３２１が設けられている。長孔３２１は、第２キャビネット部２２０の上部内側面２２２ｂに対向し、上下方向に長い。高さ調整部３２０は、長孔３２１を介して第２キャビネット部２２０の上部内側面２２２ｂに固定される。この固定には、例えば、固定用螺子３２２ａが用いられる。高さ調整部３２０は、例えば、固定用螺子３２２ｂを用いて、カウンター１００の下面１００ｂに固定される。高さ調整部３２０は、例えば、断面Ｌ形状のブラケットである。
【００６７】
高さ調整部３２０は、長孔３２１の上下方向における長さの範囲内で、固定用螺子３２２ａに対して上下方向に移動することができる。作業者は、カウンター１００の高さの調整量に応じて長孔３２１の位置を決め、固定用螺子３２２ａを締め込んで固定する。これにより、カウンター１００の高さを調整することが可能となる。
【００６８】
カウンター１００の第８位置ｐ８に対応する部分の高さは、カウンター１００の他の部分の高さと実質的に同じになるように調整される。つまり、カウンター１００の上面１００ａが水平になるように調整される。なお、第８位置ｐ８以外の他の位置についても、必要に応じて同様の調整を行うことができる。このことより、水平調整手段４００は、高さ調整部３００をそれぞれ調整し、局所的にカウンター１００の高さを上昇させることで、カウンター１００の上面全体を水平にすることができる。
【００６９】
このように、本実施形態によれば、カウンターの上面全体を水平に調整できるため、水返し部やバックガードのない、上面が平面状のカウンターであっても、カウンターの上に零れた水がキッチン空間の床面に流れ落ちることを抑制することができる。
【００７０】
図１０（ａ）〜図１０（ｃ）は、実施形態に係るカウンターを表す部分断面図である。
図１０（ａ）は、図３で説明したカウンター１００の一部を示す。  
図１０（ｂ）は、カウンター１００の変形例を示す。  
図１０（ｃ）は、カウンター１００の別の変形例を示す。  
【００７１】
図１０（ａ）に示すように、カウンター１００は、天板１０１と、裏張り板１０２と、を含む。天板１０１及び裏張り板１０２の材料には、例えば、人工大理石が用いられる。天板１０１及び裏張り板１０２は、例えば、接着等により一体的に貼り合わされている。天板１０１の端部は、裏張り板１０２の端部よりも突出している。天板１０１の端部においては、裏張り板１０２で覆われていない下面１０１ｂが露出している。
【００７２】
カウンター１００の端部においては、裏張り板１０２の端部側面と対向するように、断面Ｌ形状の補強部材１０３が設けられている。補強部材１０３は、第１部分１０３ａと、第２部分１０３ｂと、を含む。第１部分１０３ａは、天板１０１とキャビネット２００との間に設けられる。第１部分１０３ａは、例えば、天板１０１の下面１０１ｂと接する。第２部分１０３ｂは、第１部分１０３ａと連結され、下方に延びる。補強部材１０３の材料には、例えば、アルミニウムが用いられる。
【００７３】
図１０（ｂ）に示すように、カウンター１１１は、天板１０４と、裏張り板１０５と、中間部材１０６と、を含む。天板１０４及び裏張り板１０５の材料には、例えば、人工大理石が用いられる。天板１０４及び裏張り板１０５は、例えば、接着等により一体的に貼り合わされている。天板１０４の端部は、裏張り板１０５の端部よりも突出している。天板１０４の端部には、下方に延びる前垂れ部１０４ａが設けられている。前垂れ部１０４ａと裏張り板１０５との間には、中間部材１０６が設けられている。
【００７４】
カウンター１１１の端部においては、裏張り板１０５の端部側面と対向するように、断面Ｌ形状の補強部材１０３が設けられている。補強部材１０３は、第１部分１０３ａと、第２部分１０３ｂと、を含む。第１部分１０３ａは、中間部材１０６とキャビネット２００との間に設けられる。第２部分１０３ｂは、第１部分１０３ａと連結され、下方に延びる。
【００７５】
図１０（ｃ）に示すように、カウンター１１２は、天板１０７と、裏張り板１０８と、中間部材１０９と、を含む。天板１０７の材料には、例えば、ステンレスが用いられる。裏張り板１０８の材料には、例えば、木材が用いられる。天板１０７及び裏張り板１０８は、例えば、接着等により一体的に貼り合わされている。天板１０７の端部は、裏張り板１０８の端部よりも突出している。天板１０７の端部には、折り返し部１０７ａが設けられている。折り返し部１０７ａと裏張り板１０８との間には、中間部材１０９が設けられている。
【００７６】
カウンター１１２の端部においては、裏張り板１０８の端部側面と対向するように、断面Ｌ形状の補強部材１０３が設けられている。補強部材１０３は、第１部分１０３ａと、第２部分１０３ｂと、を含む。第１部分１０３ａは、中間部材１０９とキャビネット２００との間に設けられる。第２部分１０３ｂは、第１部分１０３ａと連結され、下方に延びる。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１０〜３０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０〜３０  システムキッチン、１００、１１１、１１２  カウンター、１００ａ  上面、１００ｂ、１０１ｂ  下面、１０１、１０４、１０７  天板、１０２、１０５、１０８  裏張り板、１０３  補強部材、１０３ａ  第１部分、１０３ｂ  第２部分、１０４ａ  前垂れ部、１０７ａ  折り返し部、１０６、１０９  中間部材、１１０  シンク、１２０  開口部、２００  キャビネット、２００ａ  前面、２１０  第１キャビネット部、２１１  第１開閉部、２１２ａ、２１２ｂ、２２２ａ、２２２ｂ、２３２ａ、２３２ｂ  上部内側面、２２０  第２キャビネット部、２２１  第２開閉部、２３０  第３キャビネット部、２３１  第３開閉部、２４０  レンジ台、３００、３１０、３２０  高さ調整部、３０１  螺子、３０１ａ  頭部、３０１ｂ  先部、３０１ｃ  係止部材、３０２、３１２  支持部材、３０２ａ、３０３ａ、３１２ａ、３１２ｂ、３２２ａ、３２２ｂ  固定用螺子、３０２ｂ、３０３ｂ  螺子孔、３０３  受け部材、３０４  両面テープ、３１１  スペーサ、３２１  長孔、４００  水平調整手段、Ｌ  間隔、Ｌ１  第１間隔、Ｌ２  第２間隔、ｐ１〜ｐ１２  第１〜第１２位置
【図１】
2017164049.tif 000003
【図２】
2017164049.tif 000004
【図３】
2017164049.tif 000005
【図４】
2017164049.tif 000006
【図５】
2017164049.tif 000007
【図６】
2017164049.tif 000008
【図７】
2017164049.tif 000009
【図８】
2017164049.tif 000010
【図９】
2017164049.tif 000011
【図１０】
2017164049.tif 000012